(57)【特許請求の範囲】
【請求項１】
トレッド踏面部に、タイヤ赤道線を隔てて位置してトレッド周方向に連続して延びる一対のセンター周溝を形成して、それらの間にセンターリブを区画し、各センター周溝とトレッド踏面端との間に、トレッド周方向に連続して延びる一対のショルダー周溝を形成して、ショルダー周溝とセンター周溝との間に中間陸部を、ショルダー周溝とトレッド踏面端との間にショルダー陸部をそれぞれ区画し、それぞれの中間陸部に、タイヤの車両への装着姿勢の正面視で、上方に向けて相互に離隔する方向に延在してショルダー周溝に開口するそれぞれの緩傾斜溝をトレッド周方向に間隔をおいて形成し、ショルダー陸部に、ショルダー周溝とトレッド踏面端とに開口するそれぞれの横溝をトレッド周方向に間隔をおいて形成してなる、回転方向を特定した方向性パターンを有する空気入りタイヤであって、
各緩傾斜溝のセンター側端を中間陸部内で終了させるとともに、緩傾斜溝のその終端から、全長にわたって、周方向に対して緩傾斜溝より小さい角度でショルダー周溝側へ延在して、上方側に隣接する緩傾斜溝のショルダー周溝への開口と重なる位置で、または、その開口より下方側でショルダー周溝に開口する急傾斜溝を形成して、これらの両傾斜溝により中間陸部に、三角ブロックと、トレッド周方向に連続する鋸歯状のリブとのそれぞれを区画し、そのリブの、ショルダー周溝の近傍に形成される隅部の表面高さをショルダー周溝に向けて漸減させるとともに、前記横溝のショルダー周溝への開口位置と、緩傾斜溝および急傾斜溝のショルダー周溝への開口位置とを、横溝の二列もしくは三列ごとに一致させてなる空気入りタイヤ。
【請求項２】
緩傾斜溝の少なくとも一部を直線状に延在させる請求項１に記載の空気入りタイヤ。
【請求項３】
急傾斜溝を曲線状に延在させるとともに、それの、トレッド周方向に対する角度を、下方から上方に向けて徐々に大きくしてなる請求項１もしくは２に記載の空気入りタイヤ。
【請求項４】
緩傾斜溝の前記終端を、中間陸部の、タイヤ赤道面側の縁から中間陸部の幅の３〜５０％の範囲に位置させてなる請求項１〜３のいずれかに記載の空気入りタイヤ。
【請求項５】
ショルダー周溝の溝幅を、緩傾斜溝のそこへの開口位置から、それの上方側の急傾斜溝のそこへの開口位置までの間で、徐々に狭くしてなる請求項１〜４のいずれかに記載の空気入りタイヤ。
【請求項６】
緩傾斜溝の前記終端の近傍部分で、その緩傾斜溝および急傾斜溝のそれぞれの溝底を、その終端に向けて溝深さを漸減する上げ底傾斜面とするとともに、前記リブの、緩傾斜溝の終端位置より下方側部分に、その終端と対応する部分で表面高さが最も低く、下方側に向けて高さが漸増する一方、周溝に向けて高さが漸減する、正面視形状がほぼ三角形をなす折れ曲がり傾斜面を設けてなる請求項１〜５のいずれかに記載の空気入りタイヤ。
【請求項７】
三角ブロックの、センター周溝に近接する隅部の表面高さを、センター周溝に向けて漸減させる面取り傾斜面を設け、この面取り傾斜面を、表面高さの最低位置で前記上げ底傾斜面に連続させてなる請求項６に記載の空気入りタイヤ。
【請求項８】
面取り傾斜面の表面高さの最低位置を、前記上げ底傾斜面の高さの中間位置でそれに連続させてなる請求項７に記載の空気入りタイヤ。
【請求項９】
急傾斜溝を、上方側に隣接する緩傾斜溝のショルダー周溝への開口より下方側でショルダー周溝に開口させて、これらの両傾斜溝間に挟まれて、リブのショルダー周溝側に形成される隅部をショルダー周溝内にせり出させてなる請求項１〜８のいずれかに記載の空気入りタイヤ。
【発明の詳細な説明】
【技術分野】
【０００１】
本発明は、回転方向を特定した方向性パターンを有する空気入りタイヤ、とくには、ウェット排水性能なかでも耐ハイドロプレーニング性能と、操縦安定性とを高い次元で両立させた空気入りタイヤに関するものである。
【背景技術】
【０００２】
耐ハイドロプレーニング性能と、ドライ及びウェット路面における操縦安定性とを両立させるにあたっては、トレッドパターンを、周溝と傾斜溝の組み合わせになって、回転方向が特定されたものとすることが一般的であり、この種のタイヤでは、トレッド周方向に連続して延びる周溝によって、タイヤの前後方向の排水を、また、トレッド周方向に対して傾斜して延びる傾斜溝によって、タイヤ幅方向への排水を、それぞれ行うこととしている。
【０００３】
しかるに、このようなタイヤでは一般に、排水性能を高めるために、トレッド中央域において傾斜溝を周溝に開口させているので、傾斜溝と周溝とにより挟まれる鋭角状の陸部部分に偏摩耗が発生しやすく、また、トレッド中央域の陸部剛性が低くなるという問題があった。
これに対する、トレッド中央域の陸部剛性の低下を招くことなく、耐ハイドロプレーニング性能を向上させる技術としては、例えば特開２００１−２２５６１１号公報に開示されたものがある。
【０００４】
このタイヤは、図５に、展開図で示すトレッドパターンを有するものである。ここでは、トレッド踏面部５１の中央域に、タイヤ赤道線Ｃを隔てて対称に位置して、トレッド周方向に直線状に連続して延在する一対の周溝５２を比較的近接させて設けるとともに、タイヤ赤道線Ｃからその両側にトレッド幅Ｗのほぼ１／４ずつの距離を隔てた位置に、他の一対の周溝５３を設けて、周溝５２と周溝５３との間に、中間陸部５４を区画している。また、この中間陸部５４には、周溝５３に交差するも周溝５２には開口しない急傾斜溝５５および緩傾斜溝５６を形成し、急傾斜溝５５を中間陸部５４のほぼ中央で屈曲させ、屈曲点よりトレッド端側では緩傾斜溝５６とほぼ平行となるように形成し、各中間陸部５４にほぼ台形状のブロック５７およびほぼ櫛歯状のリブ５８のそれぞれを区画している。また、周溝５３からトレッド踏面端へ開口する横溝５９を設けてショルダーブロック６０を区画し、横溝５９の周溝５３への開口位置は二列ごとに緩傾斜溝５６の周溝５３への開口位置に一致させている。
【０００５】
ところがこのような形態のブロック５７の周方向長さは、ショルダーブロック６０の周方向長さとほぼ同じであり、ショルダーブロック６０の周方向長さをパターンノイズの抑制上あまり長く出来ないことから、ブロック５７の周方向長さも長くできないため、周方向剛性をさらに高める必要がある場合に、自由度が確保できず制約条件となっていた。また、急傾斜溝５５は屈曲点を設けているため、当該溝内の排水方向が、屈曲点においてトレッド接地面内の流線方向とずれて、排水効率が低下しやすい面を有しており、さらに高い排水性を求める上では、改良する余地を有していた。
【特許文献１】特開２００１−２２５６１１号公報
【発明の開示】
【発明が解決しようとする課題】
【０００６】
本発明は、従来技術が抱えるこのような問題を解決することを課題としてなされたものであり、それの目的は、中間陸部のブロックの周方向剛性を高めて、かつウェット排水性能とくには耐ハイドロプレーニング性能をより向上させた空気入りタイヤを提供することにある。
【課題を解決するための手段】
【０００７】
本発明に係る空気入りタイヤは、トレッド踏面部に、タイヤ赤道線を隔てて位置してトレッド周方向に連続して延びる一対のセンター周溝を形成して、それらの間にセンターリブを区画し、各センター周溝とトレッド踏面端との間に、トレッド周方向に連続して延びる一対のショルダー周溝を形成して、ショルダー周溝とセンター周溝との間に中間陸部を、ショルダー周溝とトレッド踏面端との間にショルダー陸部をそれぞれ区画し、それぞれの中間陸部に、タイヤの車両への装着姿勢の正面視で、上方に向けて相互に離隔する方向に延在してショルダー周溝に開口するそれぞれの緩傾斜溝をトレッド周方向に間隔をおいて形成し、ショルダー陸部に、ショルダー周溝とトレッド踏面端とに開口するそれぞれの横溝をトレッド周方向に間隔をおいて形成してなる、回転方向を特定した方向性パターンを有する空気入りタイヤであって、
各緩傾斜溝のセンター側端を中間陸部内で終了させるとともに、緩傾斜溝のその終端から、全長にわたって、周方向に対して緩傾斜溝より小さい角度でショルダー周溝側へ延在して、上方側に隣接する緩傾斜溝のショルダー周溝への開口と重なる位置で、または、その開口より下方側でショルダー周溝に開口する急傾斜溝を形成して、これらの両傾斜溝により中間陸部に、三角ブロックと、トレッド周方向に連続する鋸歯状のリブとのそれぞれを区画し、そのリブの、ショルダー周溝の近傍に形成される、緩傾斜溝と急傾斜溝とに挟まれる隅部の表面高さをショルダー周溝に向けて漸減させるとともに、前記横溝のショルダー周溝への開口位置と、緩傾斜溝および急傾斜溝のショルダ周溝への開口位置とを、横溝の二列もしくは三列ごとに一致させてなるものである。
【発明の効果】
【０００８】
これによれば、急傾斜溝のトレッド周方向に対する角度を、緩傾斜溝のそれよりも、その全長にわたって小さくすることにより、急傾斜溝と緩傾斜溝及びショルダー周溝により区画される三角形状の三角ブロックのトレッド周方向長さを、図５に示すような、屈曲点を有する急傾斜溝と、緩傾斜溝とにより区画したほぼ台形状のブロックに較べて長くすることができ、三角ブロックの周方向剛性を高め、高い操縦安定性を得ることができる。また、センター周溝と急傾斜溝および緩傾斜溝とにより区画されるリブのショルダー周溝の近傍に形成される隅部を、リブ高さをショルダー周溝に向けて漸減させるよう面取りすることにより、リブのショルダー周溝に近接する隅部の剛性が低下することを防止して、耐偏摩耗性を高め、操縦安定性を高めることができる。
【０００９】
また、センター周溝とショルダー周溝とを設けることにより、トレッド周方向への排水性能を確保し、急傾斜溝をより滑らかに延在させることにより、急傾斜溝内の、排水方向のトレッド接地面内での流線方向からのずれを防止することができる。また、急傾斜溝により直進時からコーナリング時までの排水性能を高め、緩傾斜溝により、コーナリング走行時の排水効率をさらに高める効果をもたせ、全ての走行シーンでの排水効率を効率よく高めることができる。
ここで、急傾斜溝および緩傾斜溝のそれぞれをともに中間陸部内で終了させることにより、急傾斜溝および緩傾斜溝をセンター周溝に開口させることに起因する、とくに急傾斜溝とセンター周溝とに挟まれる鋭角陸部部分の画成をなくすことができ、かつ、急傾斜溝および緩傾斜溝とセンター周溝との間にトレッド周方向に連続するほぼ鋸歯状のリブを形成することができるので、中間陸部の剛性を高めて、ドライ路面およびウェット路面の双方における操縦安定性を高めることができる。
【００１０】
また、緩傾斜溝は、ウェット路面などの摩擦の低い路面において、エッジ成分として機能し、駆動及び制動性能を高めることができる。
さらに、ショルダー陸部に横溝を設けることにより、旋回走行時における耐ハイドロプレーニング性能を高め、ウェット路面などの摩擦の低い路面において、駆動及び制動性能を高めることができる。
【００１１】
また、急傾斜溝と緩傾斜溝とをともに、ショルダー周溝に開口させることにより、トレッド中央域の水を、ショルダー周溝に効果的に流し込み、さらにショルダー周溝からショルダー陸部に設けた横溝を経て、トレッド幅方向外側へスムーズに排除することができる。
急傾斜溝と緩傾斜溝とはともに、トレッド周方向に対し鋭角をなすことにより、急傾斜溝は主に直進走行時での排水に寄与し、緩傾斜溝は主に旋回走行時での排水に寄与するので、全ての走行シーンにおいて効率的な排水を実現し、より高いウェット排水性能とくには耐ハイドロプレーニング性能を得ることができる。
【００１２】
ここで好ましくは、緩傾斜溝の少なくとも一部を直線状に延在させる。
これにより、緩傾斜溝が排水水流に及ぼす抵抗を減らしてウェット排水性能を高めることができる。
【００１３】
また好ましくは、急傾斜溝を曲線状に延在させるとともに、それのトレッド周方向に対する角度を、下方から上方に向けて徐々に大きくする。
これによれば、急傾斜溝はトレッド中央域ではトレッド周方向に対する角度が小さくなり、排水の流速を高めることができ、タイヤ幅方向外側に向けて徐々に角度を大きくすることにより、ショルダー周溝への水の流れをスムーズなものとすることができるため、排水効率を高めて、ウェット排水性能とくには耐ハイドロプレーニング性能を高めることができる。
【００１４】
また、三角ブロックの急傾斜溝とショルダー周溝とにより区画される三角ブロックの角部の角度を比較的大きなものとすることができるので、三角ブロックの当該角部の剛性を高めて、ドライおよびウェット路面の操縦安定性を高めることができる。
【００１５】
さらに好ましくは、横溝のトレッド周方向の配列ピッチ数を、緩傾斜溝のトレッド周方向の配列ピッチ数の１．５倍以上かつ３．０以下とする。
これによれば、ショルダー陸部に横溝により区画されるブロックを、中間陸部に急傾斜溝および緩傾斜溝により区画されるブロックよりも小さくすることができ、ブロックの路面への衝接力を小さくしてパターンノイズを抑制し、ショルダー陸部の剛性を下げることにより、振動乗り心地性能を高めることができる。また、ショルダー陸部のブロックの周方向長さを短くすることにより、摩耗の進行に伴い、ブロックのヒール部分と、隣接する回転方向後方のブロックのトウ部分との間に発生する高低段差を小さくし、タイヤの外観上の不良を抑制することができる。
横溝の配列ピッチ数を緩傾斜溝の配列ピッチ数の１．５倍未満とすると、上記の作用効果が小さくなり、３．０倍より大きくすると、ショルダー陸部のブロックの剛性が小さくなりすぎて好ましくない。
【００１６】
また好ましくは、緩傾斜溝の前記終端を、中間陸部の、タイヤ赤道面側の縁から中間陸部の幅の３〜５０％の範囲に位置させる。
これによればトレッド中央域のウェット排水性能と耐偏摩耗性および操縦安定性能をバランスよく高めることができる。
緩傾斜溝の終端を、中間陸部のタイヤ赤道面側端から中間陸部の幅の３％より小さい範囲に位置させると、センター周溝と急傾斜溝および緩傾斜溝との間に区画される鋸歯状のリブの狭窄部分の剛性が小さくなり、耐偏摩耗性および操縦安定性能が低下する。また、緩傾斜溝の終端を、中間陸部のタイヤ赤道面側端から中間陸部の幅の５０％より大きい範囲に位置させると、急傾斜溝及び緩傾斜溝によるトレッド中央域の排水効果が小さくなるとともに、三角ブロックが小さくなりすぎて剛性が小さくなりすぎ、操縦安定性能が低下する。
【００１７】
さらに好ましくは、ショルダー周溝の溝幅を、緩傾斜溝のそこへの開口位置から、それの上方側の急傾斜溝のそこへの開口位置までの間で、徐々に狭くする。
これによれば、ショルダー周溝の水をショルダー陸部の横溝にスムーズに流し込み、排水効率を高めて、耐ハイドロプレーニング性能を高めることができる。
【００１８】
また好ましくは、緩傾斜溝のセンター周溝側の終端の近傍部分で、その緩傾斜溝および急傾斜溝のそれぞれの溝底を、その終端に向けて溝深さを漸減する上げ底傾斜面とするとともに、前記リブの、緩傾斜溝の終端位置より下方側部分に、その終端と対応する部分で表面高さが最も低く、下方側に向けて高さが漸増する一方、周溝に向けて高さが漸減する、正面視形状がほぼ三角形をなす折れ曲がり傾斜面を設ける。
【００１９】
これによれば、センター周溝と急傾斜溝および緩傾斜溝との間に区画されるリブの剛性を高めて、トレッド中央域の耐偏摩耗性と操縦安定性能を高めることができる。また、中間陸部の表面から急傾斜溝の終端を経由して、急傾斜溝及び緩傾斜溝への水の流し込みをスムーズにすることにより、排水性能を向上することができる。
また、緩傾斜溝の終端からセンター周溝に向けて折れ曲がり傾斜面を形成することにより、センター周溝の溝体積を増やしてウェット排水性能及び耐ハイドロプレーニング性能を高めることができ、かつ、トレッド周方向に連続する折れ曲がり傾斜面がセンター周溝内の空気に積極的に擾乱を与えることにより、センター溝内の気柱共鳴音の発生を有効に抑制することができる。
【００２０】
さらに好ましくは、三角ブロックの、センター周溝に近接する隅部の表面高さを、センター周溝に向けて漸減させる面取り傾斜面を設け、この面取り傾斜面を、表面高さの最低位置で前記上げ底傾斜面に連続させる。
これによれば、中間陸部の表面から緩傾斜溝の終端を経由して、急傾斜溝及び緩傾斜溝への水の流し込みをさらにスムーズにすることにより、排水性能を高めて、耐ハイドロプレーニング性能をさらに高めることができる。
【００２１】
また好ましくは、面取り傾斜面の表面高さの最低位置を、前記上げ底傾斜面の高さの中間位置でそれに連続させる。
これによれば、中間陸部の表面から緩傾斜溝の終端を経由して、急傾斜溝及び緩傾斜溝への水の流し込みをさらにスムーズにすることにより、排水性能を高めて、耐ハイドロプレーニング性能をさらに高めることができる。
【発明を実施するための最良の形態】
【００２２】
以下に、本発明の実施の形態を、図面に示すところに基づいて説明する。
図1は、本発明の実施の形態を、車両への装着姿勢の正面視で示すトレッドパターンの展開図である。
ここでは、トレッド踏面部１に、タイヤ赤道線Ｃを隔てて対称に位置して、トレッド周方向に直線状に連続して延在する一対のセンター周溝２を比較的近接させて設け、一対のセンター周溝２間にセンターリブ３を区画するとともに、タイヤ赤道線Ｃからその両側にトレッド幅Ｗのほぼ１／４ずつの距離を隔てた位置に、一対のショルダー周溝４を設ける。さらに、ショルダー周溝４とトレッド踏面端との間にショルダー陸部５を区画し、ショルダー陸部５にはショルダー周溝４とトレッド踏面端とを連通する横溝６を設ける。
【００２３】
センター周溝２とショルダー周溝４との間に中間陸部７を区画し、その中間陸部７には、ショルダー周溝４からトレッド周方向に対し鋭角αをなして滑らかに延びセンター周溝２の手前で終了する緩傾斜溝８と、緩傾斜溝８の終端９から、全長にわたってトレッド周方向に対して緩傾斜溝８よりも小さい鋭角βをなして滑らかに延び、上方の緩傾斜溝８のショルダー周溝４への開口のわずかに下方側に開口する急傾斜溝１０とを設ける。急傾斜溝１０は、上方に隣接する緩傾斜溝８のショルダー周溝４への開口位置１１のわずかに下方にて開口することにより、急傾斜溝１０と緩傾斜溝８とショルダー周溝４とは、トレッド周方向に連続するジグザグ状の溝を形成する。また、緩傾斜溝８と急傾斜溝１０およびショルダー周溝４とにより、中間陸部７にほぼ三角形状の三角ブロック１２を区画するとともに、センター周溝２と緩傾斜溝８と急傾斜溝１０とにより、トレッド周方向に連続する鋸歯状のリブ１３を区画し、リブ１３の、ショルダー周溝４側の隅部１４を表面高さを、ショルダー周溝４に向けて漸減させるよう面取りし、その一部をショルダー周溝４内にせりださせる。緩傾斜溝８の終端９のセンター周溝２の側縁からの距離Ｄは、中間陸部７の幅Ｂの３〜５０％の範囲とし、ここではほぼ１０％として、終端９を位置させる。
【００２４】
ここでは急傾斜溝１０を曲線状に延在させて、トレッド周方向に対する角度βを、タイヤの車両への装着姿勢の正面視で下方から上方に向けて徐々に大きくする。
また、緩傾斜溝８をほぼ直線状に延在させて、トレッド周方向に対する角度αを、下方から上方に向けてほぼ一定とする。
【００２５】
また、ショルダー陸部５の横溝６のトレッド周方向の配列ピッチ数を、緩傾斜溝８のトレッド周方向の配列ピッチ数の１．５倍以上、ここでは二倍とし、横溝６のショルダー周溝４への開口位置と、緩傾斜溝８のショルダー周溝４への開口位置は、横溝６の二列ごとに一致するように、横溝６と緩傾斜溝８を配置する。これに加えて、リブのショルダー周溝４側に形成される隅部１４を、ショルダー周溝４内にせり出させることにより、ショルダー周溝４内の排水をショルダー陸部５の横溝６に誘導して排水効率を高めることができる。
さらに、ショルダー周溝４の溝幅を、緩傾斜溝８のショルダー周溝への開口位置１１の近傍での幅Ｇから急傾斜溝の開口位置の近傍での幅Ｈへと、徐々に狭くするとともに、当該次の開口位置１１近傍の位置にて幅Ｇに戻し、トレッド周方向において、周期的に変化させる。
【００２６】
図２は、図１のａ−ａ断面、ｂ−ｂ断面、ｃ−ｃ断面を拡大して示す、断面図である。
図１および図２（ａ）に示すように、緩傾斜溝８および急傾斜溝１０の溝底から緩傾斜溝８の終端９に向けて溝深さを漸減させるように溝底を底上げして、タイヤの車両への装着姿勢の正面視形状がほぼ三角形状の上げ底傾斜面１５を形成し、図１および図２（ｂ）に示すように、緩傾斜溝８の終端９より下方側部分にその終端と対応する部分で表面高さが最も低く、下方側に向けて高さが漸増する一方、センター周溝２に向けて、高さが漸減するよう、リブ１３を面取りして、正面視形状がほぼ三角形状の折れ曲がり傾斜面１６を形成する。また、三角ブロックのセンター周溝側の端部分をブロック表面高さを漸減させてほぼ三角形状の面取り傾斜面１７を形成し、上げ底傾斜面１５の急傾斜溝１０及び緩傾斜溝８の溝底との交線Ｌを、三角ブロックの下方端１８よりも上方に位置させて、三角ブロック１２の面取り傾斜面１７の表面高さの最低位置を、上げ底傾斜面１５の高さの中間位置で連続させて、上げ底傾斜面１５と面取り傾斜面１７とは、図２（ｃ）の断面図及び図３の斜視図に示すような、複合面を形成する。これにより、緩傾斜溝８の終端９から急傾斜溝１０および緩傾斜溝８への排水をよりスムーズなものとすることができる。ここでは、上げ底傾斜面１５と、折れ曲がり傾斜面１６および面取り傾斜面１７は、平坦面としているが、凸曲面形状とすることも出来る。
さらに、三角ブロック１２のショルダー周溝４に面する上方端１９と下方端２０にも面取りを施し、三角ブロック１２の剛性を高めている。
【００２７】
これらのことにより、三角ブロック及びリブの各部剛性を高め、耐偏摩耗性を向上し、ドライ及びウェット走行時の操縦安定性を高めることができる。また、トレッド周方向に対して異なる角度を有する急傾斜溝と緩傾斜溝とを組み合わせて設けることにより、より優れたウェット排水性能とくには耐ハイドロプレーニング性能を得ることができる。
【実施例】
【００２８】
以下に、本発明に係るタイヤの、耐ハイドロプレーニング性能、操縦安定性能に関する実施例について説明する。
【００２９】
供試タイヤとして、サイズがＰＳＲ２０５／５５  Ｒ１６で、一種類の実施例タイヤと、二種類の比較例タイヤを用意した。実施例タイヤ１は図１に示したトレッドパターンと、表１に示す寸法諸元を有するものとした。
また、比較例タイヤ１は図５に示したトレッドパターンを有し、表２に示す寸法諸元を有するものとし、比較例タイヤ２は図４に示したトレッドパターンを有し、表１に示す寸法諸元を有するものとした。なお、表１に示す符号は、図１、４中の符号と対応するものとし、図４に示すトレッドパターンは、図１に示すトレッドパターンのリブ１３のショルダー周溝４に面する端部分１４の面取りをしない形状のものである。
【００３０】
【表１】
0004776152.tif 000002
【００３１】
【表２】
0004776152.tif 000003
【００３２】
供試タイヤのＪＡＴＭＡに規定される標準リムにリム組すると共に、充填空気圧を２３０ｋＰａとし、２名乗車に相当する荷重を付加した状態で実車走行を行い、直線時の耐ハイドロプレーニング性能は、水深５ｍｍのウェット路面を直線走行によって通過するときの、ハイドロプレーニング現象の発生限界速度をフィーリング評価することにより求め、曲線時の耐ハイドロプレーニング性能は、水深５ｍｍの半径８０ｍのウェット路面を走行によって通過するときの、ハイドロプレーニング現象の発生限界横Ｇをフィーリング評価することにより求め、そして操縦安定性能は、ドライ及びウェット条件のサーキットコースを、各種の走行モードでスポーツ走行したときの、テストドライバーのフィーリング評価によって求め、その結果を表３に指数をもって示す。なお、表３中の指数値は大きいほど優れた結果を示すものとした。
【００３３】
【表３】
0004776152.tif 000004
【００３４】
表３に示すところによれば、実施例タイヤ１は、耐ハイドロプレーニング性能、操縦安定性能全ての測定項目において、従来の比較例タイヤ１および２の性能を上回っていることが分かる。
比較例タイヤ１と比較例タイヤ２とを比較すると、比較例タイヤ２では、比較例タイヤに較べ耐ハイドロプレーニング性能は高められているものの、リブのショルダー周溝側に面する隅部を面取りしないことにより、ブロックの剛性が低下し、ドライおよびウェット操縦安定性が低下していることが分かる。
【図面の簡単な説明】
【００３５】
【図１】この発明の実施の形態を示すトレッドパターンの展開図である。
【図２】図１の部分拡大断面図である。
【図３】図１の部分拡大斜視図である。
【図４】従来のトレッドパターンの展開図である。
【図５】従来のトレッドパターンの展開図である。
【符号の説明】
【００３６】
１    トレッド踏面部
２    センター周溝
３    センターリブ
４    ショルダー周溝
５    ショルダー陸部
６    横溝
７    中間陸部
８    緩傾斜溝
９    終端
１０  急傾斜溝
１１  開口位置
１２  三角ブロック
１３  リブ
１４  隅部
１５  上げ底傾斜面
１６  折れ曲がり傾斜面
１７  面取り傾斜面
１８  下方端
１９  上方端
２０  下方端
２１  開口位置
２２  開口位置
２３  テーパ面
【図１】
0004776152.tif 000005
【図２】
0004776152.tif 000006
【図３】
0004776152.tif 000007
【図４】
0004776152.tif 000008
【図５】
0004776152.tif 000009